(57)【要約】【課題】表示部上の画素領域の拡大を可能とし、表示部の面積を有効活用する。【解決手段】使用者の右目又は左目の少なくとも一方の前に配置される表示部２と、表示部２と使用者の右目又は左目との間に、表示部２の各画素２ａに対応して配置される複数の光学レンズ３ａと、を有し、それぞれの光学レンズ３ａは、対応する画素２ａから出射された光を使用者の右目又は左目に向けて屈折させる。【選択図】図２
2014130218.tif 000002
【特許請求の範囲】
【請求項１】
使用者の右目又は左目の少なくとも一方の前に配置される表示部と、
前記表示部と前記使用者の右目又は左目との間に、前記表示部の各画素に対応して配置される複数の光学素子と、を有し、
それぞれの前記光学素子は、対応する前記画素から出射された光を前記使用者の右目又は左目に向けて屈折させる、表示装置。
【請求項２】
請求項１に記載の表示装置であって、
対応するそれぞれの前記画素と前記光学素子の中心を結ぶ直線が共通の一点で交わるように、前記複数の画素及び光学素子の相対的位置関係が定められている、表示装置。
【請求項３】
請求項１又は請求項２に記載の表示装置であって、
前記複数の光学素子のそれぞれが光学レンズ又は液晶レンズである、表示装置。
【請求項４】
請求項３に記載の表示装置であって、
前記複数の光学レンズ又は液晶レンズが一体的に設けられたレンズアレイを有する、表示装置。
【請求項５】
使用者の右目又は左目の少なくとも一方の前に配置される表示部と、
前記表示部と前記使用者の右目又は左目との間に、前記表示部の各画素に対応して配置される複数のピンホールと、を有し、
それぞれの前記ピンホールは、対応する前記画素から出射された光のうち前記使用者の右目又は左目に向かう光のみを通過させる、表示装置。
【請求項６】
請求項５に記載の表示装置であって、
対応するそれぞれの前記画素と前記ピンホールの中心を結ぶ直線が共通の一点で交わるように、前記複数の画素及びピンホールの相対的位置関係が定められている、表示装置。
【請求項７】
請求項５又は請求項６に記載の表示装置であって、
前記複数のピンホールが一体的に設けられたピンホールアレイを有する、表示装置。
【請求項８】
請求項５乃至請求項７のいずれか一項に記載の表示装置であって、
それぞれの前記ピンホールが光の通過と非通過を制御する液晶スイッチにより形成される、表示装置。
【請求項９】
請求項１乃至請求項８のいずれか一項に記載の表示装置であって、
前記表示部及び前記光学素子が設けられるとともに、前記使用者の頭部に係止可能な支持部を有する、表示装置。
【請求項１０】
請求項１乃至請求項８のいずれか一項に記載の表示装置において、
一端側に前記表示部及び前記光学素子が設けられ、他端側が前記使用者の耳に係止可能な支持部を有する、表示装置。
【発明の詳細な説明】
【技術分野】
【０００１】
本発明は表示装置に関し、特に、使用者の目前に配置される表示部を備えた表示装置に関する。
【背景技術】
【０００２】
メガネ型表示装置、ヘッドマウントディスプレイ、ビューファインダなどの名称で呼ばれる表示装置が知られている。これらの表示装置は、当該表示装置を装着している者、すなわち使用者の目前に配置される表示部を備えている点で共通している。例えば、表示部と使用者の右目又は左目との間の距離は、当該使用者が通常のメガネを掛けたときの当該使用者の右目又は左目とレンズとの間の距離に略等しい。このため、図６に示されるように、表示部３０から出射された光の一部しか使用者の目３１に入射しない。例えば、表示部３０の中心領域から出射された光は使用者の目３１に入射するが、周辺領域から出射された光は使用者の目３１に入射しない。
【０００３】
そこで、図７に示されるように、表示部３０と使用者の目３１との間に配置された光学レンズ３２によって、表示部３０から出射された光を使用者の目３１に向けて集光させる技術が特許文献１に記載されている。また、特許文献１には、表示部と使用者の目との間に配置された凹面反射鏡によって、表示部から出射された光を使用者の目に向けて集光させる技術も記載されている。
【先行技術文献】
【特許文献】
【０００４】
【特許文献１】特開２０１０−１４５６０２号公報
【発明の概要】
【発明が解決しようとする課題】
【０００５】
表示部と使用者の目との間に配置された光学レンズや凹面反射鏡によって表示部から出射された光を使用者の目に向けて集光させる場合、光学レンズや凹面反射鏡に入射しない光は使用者の目に集光されない。よって、表示部上の画素領域の大きさは光学レンズや凹面反射鏡の大きさに依存することになる。しかし、表示部と使用者の目との間に配置できる光学レンズや凹面反射鏡の大きさには限界がある。この結果、表示部の面積には余裕があるにもかかわらず、画素領域の大きさが制限されてしまう。
【０００６】
本発明の課題は、表示部上の画素領域の拡大を可能とし、表示部の面積を有効活用することにある。
【課題を解決するための手段】
【０００７】
本発明の一態様は、使用者の右目又は左目の少なくとも一方の前に配置される表示部と、前記表示部と前記使用者の右目又は左目との間に、前記表示部の各画素に対応して配置される複数の光学素子とを有する表示装置に関し、それぞれの前記光学素子は、対応する前記画素から出射された光を前記右目又は左目に向けて屈折させる。
【０００８】
本発明の他の態様は、対応するそれぞれの前記画素と前記光学素子の中心を結ぶ直線が共通の一点で交わるように、前記複数の画素及び光学素子の相対的位置関係が定められている、表示装置に関する。
【０００９】
本発明の他の態様は、前記複数の光学素子のそれぞれが光学レンズ又は液晶レンズである、表示装置に関する。
【００１０】
本発明の他の態様は、前記複数の光学レンズ又は液晶レンズが一体的に設けられたレンズアレイを有する、表示装置に関する。
【００１１】
本発明の他の態様は、使用者の右目又は左目の少なくとも一方の前に配置される表示部と、前記表示部と前記使用者の右目又は左目との間に、前記表示部の各画素に対応して配置される複数のピンホールとを有する表示装置に関し、それぞれの前記ピンホールは、対応する前記画素から出射された光のうち前記使用者の右目又は左目に向かう光のみを通過させる。
【００１２】
本発明の他の態様は、対応するそれぞれの前記画素と前記ピンホールの中心を結ぶ直線が共通の一点で交わるように、前記複数の画素及びピンホールの相対的位置関係が定められている、表示装置に関する。
【００１３】
本発明の他の態様は、前記複数のピンホールが一体的に設けられたピンホールアレイを有する、表示装置に関する。
【００１４】
本発明の他の態様は、それぞれの前記ピンホールが光の通過と非通過を制御する液晶スイッチにより形成されている、表示装置に関する。
【００１５】
本発明の他の態様は、前記表示部及び前記光学素子が設けられるとともに、前記使用者の頭部に係止可能な支持部を有する、表示装置に関する。
【００１６】
本発明の他の態様は、一端側に前記表示部及び前記光学素子が設けられ、他端側が前記使用者の耳に係止可能な支持部を有する、表示装置に関する。
【発明の効果】
【００１７】
本発明によれば、表示部上の画素領域の拡大が可能となり、表示部の面積が有効活用される。
【図面の簡単な説明】
【００１８】
【図１】本発明の第１の実施形態を示す模式図。
【図２】本発明の第１の実施形態を示す拡大模式図。
【図３】本発明の第２の実施形態を示す拡大模式図。
【図４】本発明が適用されたヘッドマウントディスプレイの一例を示す斜視図。
【図５】本発明が適用されたメガネ型ディスプレイの一例を示す斜視図。
【図６】表示部から出射される光のうち、使用者の目に入射する光と入射しない光とを示す模式図。
【図７】特許文献１に記載されている技術の概要を示す模式図。
【発明を実施するための形態】
【００１９】
（第１の実施形態）
以下、本発明が適用された表示装置の一例について図１を参照しながら説明する。ここで説明する表示装置は、使用者の右目又は左目の少なくとも一方の前に配置される表示部と、当該表示部と使用者の右目又は左目との間に配置されるレンズアレイと、を有する。但し、図１には、使用者の右目１の前に配置される表示部２、及び、当該表示部２と使用者の右目１との間に配置されるレンズアレイ３のみが図示され、使用者の左目の前に配置される表示部、及び、当該表示部と使用者の左目との間に配置されるレンズアレイの図示は省略されている。もっとも、使用者の左目の前に配置される表示部、及び、当該表示部と使用者の左目との間に配置されるレンズアレイは、図１に示される表示部２及びレンズアレイ３と同一の構成を有する。そこで、図１に示される表示部２及びレンズアレイ３についてのみ説明し、使用者の左目の前に配置される表示部、及び、当該表示部と使用者の左目との間に配置されるレンズアレイについての説明は省略する。
【００２０】
ここでは、図１に示される表示部２として液晶ディスプレイを用いた例について説明する。もっとも、当該液晶ディスプレイは、従来から知られている液晶ディスプレイと同様の構造及び機能を備えているので詳しい説明及び図示は省略する。
【００２１】
表示部２としての液晶ディスプレイは、透過型の液晶パネルと、液晶パネルに対して電気信号を供給する駆動回路とを少なくとも含んでいる。液晶パネルは、共通電極が形成された第１の透光性基板と画素電極が形成された第２の透光性基板との間に挟まれた液晶層と、第１の透光性基板の外側に配置された偏向板と、第２の透光性基板の外側に配置された偏向板とを含む積層体である。
【００２２】
なお、液晶層とそれを挟持する透光性基板との間には、例えばポリイミド材料からなる配向層が設けられている。また、上記積層体内には必要に応じてカラーフィルタが設けられる。本実施形態では、第２の透光性基板と偏向板との間にカラーフィルタが設けられている。本実施形態では、透光性基板としてガラス基板が用いられているが、プラスチック基板を用いてもよい。共通電極や画素電極は透光性を有する電極であり、その材料には、例えばインジウム錫酸化物（Indium Tin Oxide：ＩＴＯ）が用いられている。また、共通電極や画素電極の材料として、インジウム亜鉛酸化物（Indium Zinc Oxide：ＩＺＯ）やその他の透光性導電材料を用いてもよい。以上の他、上記積層体内には必要に応じて視野角補償フィルムなどの光学フィルムが挿入されることもある。
【００２３】
光源としてのバックライトには、光源ランプ、導光板及び拡散板などが含まれる。本実施形態では、光源ランプとしてＬＥＤ（Light Emitting Diode）が用いられているが、ＥＬ（Electro Luminescence）や冷陰極管（ＣＣＦＬ（Cold Cathode Fluorescent Lamp）などを用いてもよい。ＬＥＤには、白色ＬＥＤを用いてもよく、また、赤色ＬＥＤ、緑色ＬＥＤ及び青色ＬＥＤを組み合わせて用いてもよい。
【００２４】
なお本実施形態では、表示部２として透過型の液晶パネルを有する液晶ディスプレイの構造について概説した。しかし、上記構造は本発明の表示部として使用可能な液晶ディスプレイの構造の一例であって、他の構造を有する液晶ディスプレイの使用を排除するものではない。例えば、透過型の液晶パネルに代えて、反射型の液晶パネルを有する液晶ディスプレイを、表示部２として用いてもよい。
【００２５】
また、本実施形態では、第１の透光性基板及び第２の透光性基板のそれぞれの上に、透光性を有する電極が形成され、当該透光性を有する電極間、換言すれば、当該第１及び第２の透光性基板間に生じる縦方向の電界により液晶分子が駆動される液晶パネルについて説明した。しかしながら、当該第１の透光性基板上に画素電極及び共通電極が形成され、当該画素電極及び共通電極間、換言すれば横方向の電界により液晶分子が駆動される、ＩＰＳ方式（ＩＰＳ：In Plane Switching）、又は、ＦＦＳ方式（ＦＦＳ：Fringe Field Switching）の液晶パネルを有する液晶ディスプレイを、表示部２として用いてもよいことは言うまでもない。
【００２６】
また、表示部２としての液晶ディスプレイを、有機ＥＬディスプレイ、無機ＥＬディスプレイ、プラズマディスプレイまたはＭＥＭＳディプレイ（ＭＥＭＳ：Micro Electro Mechanical Systems）に置換した実施形態も本発明に含まれる。
【００２７】
次に、図１に示されるレンズアレイ３について説明する。図示されているように、レンズアレイ３は、表示部２と使用者の右目１との間に配置される。換言すれば、レンズアレイ３は、表示部２の手前に配置される。図２に示されるように、レンズアレイ３には、光学素子としての光学レンズ３ａが複数形成されている。それぞれの光学レンズ３ａは微小なレンズ素子であって、マトリクス状に配置されている。換言すれば、一体的に設けられた複数の光学レンズ３ａによってレンズアレイ３が形成されており、使用者によって当該表示装置が使用される際には、使用者の右目１と表示部２との間に複数の光学レンズ３ａが配置される。
【００２８】
図２に示されるように、それぞれの光学レンズ３ａは、表示部２の各画素２ａに対応して設けられており、対応する画素２ａから出射される光を使用者の右目１に向けて屈折させる。すなわち、各画素２ａとこれに対応する各光学レンズ３ａとは、それぞれの画素２ａから出射される光がそれぞれの光学レンズ３ａの屈折作用によって使用者の右目１に入射されるように、相対的位置関係が定められている。具体的には、それぞれの画素２ａの中心と、各画素２ａに対応するそれぞれの光学レンズ３ａの中心とを結ぶ複数の直線（Ｌ１）が共通の一点で交わるように、各画素２ａ及び各光学レンズ３ａが配置されている。より具体的には、上記複数の直線（Ｌ１）が使用者の右目上で互いに交わるように、各画素２ａ及び各光学レンズ３ａが配置されている。
【００２９】
もっとも、使用者の右目１の位置やレンズアレイ３から右目１までの距離などは一様ではない。そこで、実際には、それぞれの画素２ａと光学レンズ３ａとの相対的位置関係は次のようにして決定されている。まず、複数の画素２ａのうち、使用者によって当該表示装置が使用される際にその使用者の右目１の中心と正対すると予想される任意の１つの画素２ａを基準画素２０ａと定める。また、複数の光学レンズ３ａのうち、基準画素２０ａに対応する光学レンズ３ａを基準レンズ３０ａと定める。さらに、基準画素２０ａの中心と基準レンズ３０ａの中心とを結ぶ直線を基準線（Ｌ）と定める。その後、基準線（Ｌ）上の任意の一点（Ｘ）において、他のそれぞれの画素２ａの中心と各画素２ａに対応する光学レンズ３ａの中心とを結ぶ複数の直線（Ｌ１）が互いに交わるように、基準画素２０ａ及び基準レンズ３０ａ以外の画素２ａ及び光学レンズ３ａの相対的位置関係を決定する。
【００３０】
なお、画素２ａと光学レンズ３ａとの位置関係に関する上記決定方法及び決定手順は一例に過ぎず、全ての画素２ａから出射された光が使用者の右目１に入射されるように、各画素２ａと各光学レンズ３ａとが配置されればよい。したがって、画素２ａと光学レンズ３ａとの位置関係の決定方法や決定手順は特定の方法や手順に限定されない。また、人間の目はそれ自体がレンズ作用を有し、さまざまな距離にある像を網膜上に正しく結像させる機能を備えている。よって、基準線（Ｌ）上における点（Ｘ）の位置については、人間の目の焦点調節機能に応じた許容範囲がある。よって、点（Ｘ）の位置は図示されている位置に限定されない。例えば、点（Ｘ）は右目１の中心や右目１の表面上に存在していなくともよく、図示されている位置から基準線（Ｌ）に沿って紙面左右に移動させることもできる。
【００３１】
以上のように、本実施形態の表示装置では、表示部の各画素から出射された光が各画素に対応する複数の光学素子によって個別に屈折されて使用者の右目及び左目に入射される。よって、表示部上のより広い範囲に画素を配置することができる。すなわち、画素領域の拡大が可能となる。
【００３２】
図１や図２に示されるレンズアレイ３は、光学素子としての液晶レンズが複数形成されたレンズアレイによって置換することができる。かかる実施形態においては、それぞれの液晶レンズがこれまでに説明した光学レンズ３ａに相当する。すなわち、光学素子としての液晶レンズは、表示部の各画素に対応して設けられ、対応する画素から出射される光を使用者の右目又は左目に向けて屈折させる。各画素とこれに対応するそれぞれの液晶レンズとは、各画素から出射される光がそれぞれの液晶レンズによって個別に屈折されて使用者の右目又は左目に入射されるように、相対的位置関係が定められている。具体的には、それぞれの画素の中心と各画素に対応するそれぞれの液晶レンズの中心とを結ぶ複数の直線が共通の一点で互いに交わるように、各画素及び各液晶レンズが配置される。
【００３３】
複数の液晶レンズが一体的に設けられたレンズアレイが用いられる実施形態では、表示部の各画素から出射された光が各画素に対応する液晶レンズによって個別に屈折されて使用者の右目又は左目に入射される。よって、複数の光学レンズが一体的に設けられたレンズアレイが用いられる上記実施形態と同様に、表示部における画素領域の拡大が可能となる。さらに、液晶レンズでは、印加電圧を調整することにより見かけ上の屈折率を変化させることができる。よって、例えば一部の画素から出射された光が使用者の右目又は左目に入射しないように制御することもできる。
【００３４】
なお、本発明には、使用者に平面画像のみでなく、立体画像を提供可能な実施形態が含まれる。本実施形態のように、右目用の表示部と左目用の表示部とが設けられている実施形態では、２視差方式によって容易に立体画像を提供することができる。
【００３５】
また、本実施形態では、使用者の右目及び左目の前にそれぞれ表示部が配置されていた。しかし、使用者の右目又は左目のいずれか一方の前にのみ表示部が配置される実施形態も本発明に含まれる。
【００３６】
さらに、使用者の右目の前に配置される表示部の構成と左目の前に配置される表示部の構成とが異なる実施形態も本発明に含まれる。例えば、使用者の右目または左目のいずれか一方の前に配置される表示部がいわゆる透明ディスプレイであって、必要に応じて透明ディスプレイ越しに周囲の景色を見ることが可能な実施形態も本発明に含まれる。
【００３７】
本実施形態により、表示部上の画素領域の拡大が可能となり、表示部の面積を有効活用することができる。また、拡大された画素領域内に画素を高密度に形成することにより、小型で高精細な表示装置を得ることができる。
【００３８】
（第２の実施形態）
以下、本発明の実施形態の他例について図３を参照しながら説明する。ここで説明する表示装置は、使用者の右目又は左目の少なくとも一方の前に配置される表示部と、当該表示部と使用者の右目又は左目との間に配置されるピンホールアレイと、を有する。
【００３９】
但し、図３では、使用者の右目１の前に配置される表示部２、及び、当該表示部２と使用者の右目１との間に配置されるピンホールアレイ４のみが図示され、使用者の左目の前に配置される表示部、及び、当該表示部と使用者の左目との間に配置されるピンホールアレイの図示は省略されている。もっとも、使用者の左目の前に配置される表示部、及び、当該表示部と使用者の左目との間に配置されるピンホールアレイは、図３に示される表示部２及びピンホールアレイ４と同一の構成を有する。そこで、図３に示される表示部２及びピンホールアレイ４についてのみ説明し、使用者の左目の前に配置される表示部、及び、当該表示部と使用者の左目との間に配置されるピンホールアレイについての説明は省略する。さらに、図３に示される表示部２は、第１の実施形態における表示部２と同一の構成を有するので繰り返しの説明は省略する。
【００４０】
図３に示されるように、ピンホールアレイ４には複数のピンホール４ａが一体的に設けられている。それら複数のピンホール４ａは、表示部２の各画素２ａに対応してマトリックス状に配置されている。それぞれのピンホール４ａは、対応する画素２ａから全方向に向けて出射される光のうち、使用者の右目１に向かう光のみを通過させる。すなわち、各画素２ａとこれに対応するそれぞれのピンホール４ａとは、各画素２ａから出射される光のうち、使用者の右目１に向かう光のみが通過可能となるように、相対的位置関係が定められている。具体的には、それぞれの画素２ａの中心と各画素２ａに対応するそれぞれのピンホール４ａの中心とを結ぶ複数の直線（Ｌ１）が共通の一点で互いに交わるように、各画素２ａ及び各ピンホール４ａが配置されている。
【００４１】
なお、それぞれの画素２ａとピンホール４ａとの実際の位置関係は、図２に示される画素２ａと光学レンズ３ａとの位置関係を決定する方法及び手順と同様にして決定することができる。すなわち、複数の画素２ａのうち、使用者によって当該表示装置が使用される際にその使用者の右目１の中心と正対すると予想される任意の１つの画素２ａを基準画素２０ａと定める。また、複数のピンホール４ａのうち、基準画素２０ａに対応するピンホール４ａを基準ピンホール４０ａと定める。さらに、基準画素２０ａの中心と基準ピンホール４０ａの中心とを結ぶ直線を基準線（Ｌ）と定める。その後、基準線（Ｌ）上の任意の一点（Ｘ）において、他のそれぞれの画素２ａの中心と各画素２ａに対応するピンホール４ａの中心とを結ぶ複数の直線（Ｌ１）が互いに交わるように、基準画素２０ａ及び基準ピンホール４０ａ以外の画素２ａ及びピンホール４ａの相対的位置関係を定める。
【００４２】
図３に示されるピンホールアレイ４におけるそれぞれのピンホール４ａは、板状部材に形成された貫通穴である。しかし、液晶層における光の通過と非通過を制御可能な液晶スイッチによってピンホールアレイ４を形成してもよい。具体的には、液晶層中に光が通過可能な領域（光通過領域）と光が通過不能な領域（光非通過領域）とを選択的に形成可能な液晶スイッチによってピンホールアレイ４を構成し、液晶層中に形成された光通過領域を図３に示されるピンホール４ａに相当するピンホールとして機能させてもよい。
【００４３】
なお、本実施形態においても、実施形態１と同様に、使用者に平面画像のみでなく、立体画像を提供してもよい。
【００４４】
また、本実施形態においても、第１の実施形態と同様に、使用者の右目または左目のいずれか一方の前にのみ表示部を配置してもよい。
【００４５】
さらに、使用者の右目の前に配置される表示部の構成と左目の前に配置される表示部の構成とが異なっていてもよい。
【００４６】
本実施形態により、表示部上の画素領域の拡大が可能となり、表示部の面積を有効活用することができる。また、拡大された画素領域内に画素を高密度に形成することにより、小型で高精細な表示装置を得ることができる。
【００４７】
（実施例１）
以下、上述の実施形態を用いた具体的な例について説明する。図４は、本発明が適用されたヘッドマウントディスプレイの一例を示す斜視図である。図示されているヘッドマウントディスプレイ１０は、図２に示される表示部２及びレンズアレイ３に相当する液晶ディスプレイ及びレンズアレイが一体化された表示ユニット１１ａ及び表示ユニット１１ｂと、それら表示ユニット１１ａ及び表示ユニット１１ｂを支持する支持部１２と、を備えている。支持部１２は、使用者の頭部に係止可能な環状のヘッドバンド１３を有し、ヘッドバンド１３からは一対のブラケット１４ａ及びブラケット１４ｂが延びている。それぞれのブラケット１４ａ及びブラケット１４ｂの一端はヘッドバンド１３に回動可能に固定され、他端は支持プレート１５の長手方向両端にそれぞれ固定されている。すなわち、支持プレート１５はヘッドバンド１３に対して図示されている矢印方向に回動可能である。表示ユニット１１ａは右目用、表示ユニット１１ｂは左目用であって、使用者がその頭部にヘッドバンド１３を係止させ、支持プレート１５を所定位置まで回動させると、使用者の右目の前に表示ユニット１１ａが配置され、左目の前に表示ユニット１１ｂが配置される。より詳細には、使用者の右目の前に表示ユニット１１ａが備える液晶ディスプレイが配置され、その液晶ディスプレイと使用者の右目との間に表示ユニット１１ａが備えるレンズアレイが配置される。また、使用者の左目の前に表示ユニット１１ｂが備える液晶ディスプレイが配置され、その液晶ディスプレイと使用者の左目との間に表示ユニット１１ｂが備えるレンズアレイが配置される。
【００４８】
さらに、ヘッドマウントディスプレイ１０には、画像信号及び音声信号が入力される不図示の受信部が設けられており、受信部に入力された画像信号に基づいて表示ユニット１１ａ及び表示ユニット１１ｂが備える液晶ディスプレイに画像が表示される。また、ヘッドマウントディスプレイ１０には、受信部に入力された音声信号に基づいて音声を出力する不図示のスピーカー又はイヤフォンの少なくとも一方が設けられている。受信部には、無線又は有線の少なくとも何れか一方により画像信号及び音声信号が入力される。
【００４９】
なお、本実施例のヘッドマウントディスプレイ１０には、図２に示される表示部２及びレンズアレイ３に相当する液晶ディスプレイ及びレンズアレイが一体化された表示ユニット１１ａ及び表示ユニット１１ｂが用いられているが、表示ユニット１１ａ及び表示ユニット１１ｂとして、図３に示される表示部２及びピンホールアレイ４に相当する液晶ディスプレイ及びピンホールアレイが一体化された表示ユニットを用いてもよい。
【００５０】
（実施例２）
以下、上述の実施形態を用いた具体的な例について説明する。図５は、本発明が適用されたメガネ型ディスプレイの一例を示す斜視図である。図示されているメガネ型ディスプレイ２０は、図３に示される表示部２及びピンホールアレイ４に相当する液晶ディスプレイ及びピンホールアレイが一体化された表示ユニット２１ａ及び表示ユニット２１ｂと、それら表示ユニット２１ａ及び表示ユニット２１ｂを支持する支持部２２と、を備えている。支持部２２は、一対のアーム２３ａ及びアーム２３ｂと、それらアーム２３ａ及びアーム２３ｂの一端側に一体的に設けられたリム部２４と、を有する。それぞれのアーム２３ａ及びアーム２３ｂの一端側は蝶番を介してリム部２４に回動可能に固定されており、他端側には使用者の耳に係止する耳当て部２５が一体成形されている。リム部２４には２つの開口部２６ａ及び開口部２６ｂが並べて形成されており、開口部２６ａ及び開口部２６ｂの間には使用者の鼻にその両側から係止する鼻当て部２７が設けられている。表示ユニット２１ａ及び表示ユニット２１ｂは、リム部２４の開口部２６ａ及び開口部２６ｂの内側にそれぞれ嵌め込まれてリム部２４と一体化されている。
【００５１】
使用者が通常のメガネを装着する場合と同様にメガネ型ディスプレイ２０を装着すると、使用者の右目の前に表示ユニット２１ａが配置され、左目の前に表示ユニット２１ｂが配置される。より詳細には、使用者の右目の前に表示ユニット２１ａが備える液晶ディスプレイが配置され、その液晶ディスプレイと使用者の右目との間に表示ユニット２１ａが備えるピンホールアレイが配置される。また、使用者の左目の前に表示ユニット２１ｂが備える液晶ディスプレイが配置され、その液晶ディスプレイと使用者の左目との間に表示ユニット２１ｂが備えるピンホールアレイが配置される。
【００５２】
なお、メガネ型ディスプレイ２０にも図４に示されるヘッドマウントディスプレイ１０に設けられている受信部やスピーカーなどと同様の受信部やスピーカーなどが設けられている。
【００５３】
なお、本実施例のメガネ型ディスプレイ２０には、図３に示される表示部２及びピンホールアレイ４に相当する液晶ディスプレイ及びピンホールアレイが一体化された表示ユニット２１ａ及び表示ユニット２１ｂが用いられているが、表示ユニット２１ａ及び表示ユニット２１ｂとして、図２に示される表示部２及びレンズアレイ３に相当する液晶ディスプレイ及びレンズアレイが一体化された表示ユニットを用いてもよい。
【００５４】
本発明は上記実施形態及び実施例に限定されるものではなく、その要旨を逸脱しない範囲で種々変更可能である。
【符号の説明】
【００５５】
１    右目
２    表示部
２ａ    画素
３    レンズアレイ
３ａ    光学レンズ
４    ピンホールアレイ
４ａ    ピンホール
１０    ヘッドマウントディスプレイ
１１ａ    表示ユニット
１１ｂ    表示ユニット
１２    支持部
１３    ヘッドバンド
２０    メガネ型ディスプレイ
２０ａ    基準画素
２１ａ    表示ユニット
２１ｂ    表示ユニット
２２    支持部
２３ａ    アーム
３０ａ    基準レンズ
４０ａ    基準ピンホール
【図１】
2014130218.tif 000003
【図２】
2014130218.tif 000004
【図３】
2014130218.tif 000005
【図４】
2014130218.tif 000006
【図５】
2014130218.tif 000007
【図６】
2014130218.tif 000008
【図７】
2014130218.tif 000009